【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
通信相手から第１時間領域伝送ユニットで送信される第１情報を受信するステップと、
第２時間領域伝送ユニットで通信相手に第２情報を送信するステップとを含み、
ここで、各時間領域伝送ユニットは、アップリンク伝送リソースまたはダウンリンク伝送リソースに対応し、アップリンク伝送リソースとダウンリンク伝送リソースとは、異なるヌメロロジーを有し、第１時間領域伝送ユニットと第２時間領域伝送ユニットとの間の時系列関係は、参照ヌメロロジーに対応する単位粒度を単位に示される、無線通信システムの情報伝送方法。
【請求項２】
前記ヌメロロジーは、
サブキャリア間隔、シンボル長、時間領域伝送ユニットの中のシンボル数のうちの少なくとも１つを含み、
前記参照ヌメロロジーは、
ダウンリンク伝送リソースのヌメロロジーとは異なり、
または、アップリンク伝送リソースのヌメロロジーとは異なり、
または、アップリンク伝送リソースとダウンリンク伝送リソースのヌメロロジーとは異なる、請求項１に記載の方法。
【請求項３】
前記時系列関係は、
第１時間領域伝送ユニットに対する第２時間領域伝送ユニットのシフト値を含み、
前記シフト値は、前記参照ヌメロロジーに対応する単位粒度を単位に示される、請求項１に記載の方法。
【請求項４】
前記通信相手が基地局である場合、
前記時系列関係、アップリンク伝送リソースのヌメロロジー、ダウンリンク伝送リソースのヌメロロジー、時間領域伝送ユニットの伝送方向および前記参照ヌメロロジーに対応する単位粒度のうちの少なくとも１つを、予め前記端末に対し設定するステップをさらに含む、請求項１に記載の方法。
【請求項５】
前記の第２時間領域伝送ユニットで通信相手に第２情報を送信するステップは、
第１情報が位置する参照ヌメロロジーに対応する単位粒度の第１番号および前記時系列関係に基づいて、第２番号を特定するステップと、
前記第２番号に対応する第２時間領域伝送ユニットで第２情報を送信するステップとを含む、請求項１に記載の方法。
【請求項６】
アップリンク伝送リソースとダウンリンク伝送リソースのヌメロロジーに対応する時間領域伝送ユニットは、同じ時間領域長を有し、
前記参照ヌメロロジーに対応する単位粒度は、アップリンク伝送リソースまたはダウンリンク伝送リソースのヌメロロジーに対応する時間領域伝送ユニットである、請求項１〜５のいずれか一項に記載の方法。
【請求項７】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記参照ヌメロロジーに対応する単位粒度は、ダウンリンク伝送リソースのヌメロロジーに対応する時間領域伝送ユニットおよびアップリンク伝送リソースのヌメロロジーに対応する時間領域伝送ユニットを含む、請求項１〜５のいずれか一項に記載の方法。
【請求項８】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記参照ヌメロロジーに対応する単位スケジューリング粒度は、ダウンリンク伝送リソースのヌメロロジーに対応する時間領域伝送ユニットである、請求項１〜５のいずれか一項に記載の方法。
【請求項９】
前記ダウンリンク伝送リソースのヌメロロジーの中のサブキャリア間隔が前記アップリンク伝送リソースのヌメロロジーの中のサブキャリア間隔のＷ（１より大きい偶数）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であれば、前記第１時間領域伝送ユニットが番号ｎ（１より大きい整数）の参照ヌメロロジーに対応する単位粒度に位置する場合、前記第２時間領域伝送ユニットは、番号ｎ＋ｋ０（１より大きい整数）の参照ヌメロロジーに対応する単位粒度に位置し、または、第１時間領域伝送ユニットがダウンリンク伝送リソースであり、第２時間領域伝送ユニットがアップリンク伝送リソースである場合、番号ｎ＋ｋ０の参照ヌメロロジーに対応する単位粒度は、前記第２時間領域伝送ユニットの中の所定位置に位置し、または、第１時間領域伝送ユニットがアップリンク伝送リソースであり、第２時間領域伝送ユニットがダウンリンク伝送リソースである場合、第１時間領域伝送ユニットと第２時間領域伝送ユニットとの間の時系列関係として、番号ｎの参照ヌメロロジーに対応する単位粒度が位置する前記第１時間領域伝送ユニットの終了位置から計時を開始し、
前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、前記第１時間領域伝送ユニットが番号ｎの参照ヌメロロジーに対応する単位粒度に位置する場合、前記第２時間領域伝送ユニットは、番号ｎ＋ｋ０の参照ヌメロロジーに対応する単位粒度に位置し、または、第１時間領域伝送ユニットがダウンリンク伝送リソースであり、第２時間領域伝送ユニットがアップリンク伝送リソースである場合、前記時系列関係は、前記番号ｎ＋ｋ０の参照ヌメロロジーに対応する単位粒度における前記第２時間領域伝送ユニットの位置指示情報をさらに含み、または、第１時間領域伝送ユニットがアップリンク伝送リソースであり、第２時間領域伝送ユニットがダウンリンク伝送リソースである場合、第１時間領域伝送ユニットと第２時間領域伝送ユニットとの間の時系列関係として、番号ｎの参照ヌメロロジーに対応する単位粒度の終了位置から計時を開始する、請求項８に記載の方法。
【請求項１０】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記参照ヌメロロジーに対応する単位粒度は、アップリンク伝送リソースのヌメロロジーに対応する時間領域伝送ユニットである、請求項１〜５のいずれか一項に記載の方法。
【請求項１１】
前記ダウンリンク伝送リソースのヌメロロジーの中のサブキャリア間隔が前記アップリンク伝送リソースのヌメロロジーの中のサブキャリア間隔のＷ（１より大きい偶数）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であれば、前記第１時間領域伝送ユニットが番号ｎ（１より大きい整数）の参照ヌメロロジーに対応する単位粒度に位置する場合、前記第２時間領域伝送ユニットは、番号ｎ＋ｋ０（１より大きい整数）の参照ヌメロロジーに対応する単位粒度に位置し、または、第１時間領域伝送ユニットがアップリンク伝送リソースであり、第２時間領域伝送ユニットがダウンリンク伝送リソースである場合、前記時系列関係は、前記番号ｎ＋ｋ０の参照ヌメロロジーに対応する単位粒度における前記第２時間領域伝送ユニットの位置指示情報をさらに含み、または、第１時間領域伝送ユニットがダウンリンク伝送リソースであり、第２時間領域伝送ユニットがアップリンク伝送リソースである場合、第１時間領域伝送ユニットと第２時間領域伝送ユニットとの間の時系列関係として、番号ｎの参照ヌメロロジーに対応する単位粒度の終了位置から計時を開始し、
前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、前記第１時間領域伝送ユニットが番号ｎの参照ヌメロロジーに対応する単位粒度に位置する場合、前記第２時間領域伝送ユニットは、番号ｎ＋ｋ０の参照ヌメロロジーに対応する単位粒度に位置し、または、第１時間領域伝送ユニットがダウンリンク伝送リソースであり、第２時間領域伝送ユニットがアップリンク伝送リソースである場合、番号ｎの参照ヌメロロジーに対応する単位粒度は、第１時間領域伝送ユニットの中の所定の第１位置に位置し、第１時間領域伝送ユニットと第２時間領域伝送ユニットとの間の時系列関係として、番号ｎの参照ヌメロロジーに対応する単位粒度が位置する前記第１時間領域伝送ユニットの終了位置から計時を開始し、第１時間領域伝送ユニットがアップリンク伝送リソースであり、第２時間領域伝送ユニットがダウンリンク伝送リソースである場合、番号ｎ＋ｋ０の参照ヌメロロジーに対応する単位粒度は、前記第２時間領域伝送ユニットの所定の第２位置に位置する、請求項１０に記載の方法。
【請求項１２】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記参照ヌメロロジーに対応する単位粒度は、参照ヌメロロジーに対応する時間領域伝送ユニットであり、かつアップリンクとダウンリンク伝送リソースのヌメロロジーに対応する時間領域伝送ユニットの時間領域長は、ともに前記参照ヌメロロジーに対応する時間領域伝送ユニットの整数倍である、請求項１〜５のいずれか一項に記載の方法。
【請求項１３】
前記ダウンリンク伝送リソースのヌメロロジーの中のサブキャリア間隔が前記アップリンク伝送リソースのヌメロロジーの中のサブキャリア間隔のＷ（１より大きい偶数）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であり、または、前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、
前記第１時間領域伝送ユニットが番号ｎ（１より大きい整数）の参照ヌメロロジーに対応する単位粒度に位置する場合、前記第２時間領域伝送ユニットは、番号ｎ＋ｋ０（１より大きい整数）の参照ヌメロロジーに対応する単位粒度に位置し、または、第１時間領域伝送ユニットがダウンリンク伝送リソースであり、第２時間領域伝送ユニットがアップリンク伝送リソースである場合、番号ｎの参照ヌメロロジーに対応する単位粒度は、第１時間領域伝送ユニットの中の所定の第３位置に位置し、番号ｎ＋ｋ０の参照ヌメロロジーに対応する単位粒度は、前記第２時間領域伝送ユニットの中の所定の第４位置に位置し、または、第１時間領域伝送ユニットと第２時間領域伝送ユニットとの間の時系列関係として、番号ｎの参照ヌメロロジーに対応する単位粒度が位置する前記第１時間領域伝送ユニットの終了位置から計時を開始し、
第１時間領域伝送ユニットがアップリンク伝送リソースであり、第２時間領域伝送ユニットがダウンリンク伝送リソースである場合、番号ｎ＋ｋ０の参照ヌメロロジーに対応する単位粒度は、前記第２時間領域伝送ユニットの中の所定の第５位置に位置し、または、第１時間領域伝送ユニットと第２時間領域伝送ユニットとの間の時系列関係として、番号ｎの参照ヌメロロジーに対応する単位粒度が位置する前記第１時間領域伝送ユニットの終了位置から計時を開始する、請求項１２に記載の方法。
【請求項１４】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記時系列関係は、第１時間領域伝送ユニットに対する第２時間領域伝送ユニットの第１レベル粒度単位のシフト値ｋ１（１より大きい整数）と、前記第１レベル粒度における第２時間領域伝送ユニットの第２レベル粒度単位のシフト値ｋ２（１より大きい整数）を含む、請求項１に記載の方法。
【請求項１５】
メモリと、プロセッサと、メモリに記憶されてプロセッサで実行可能なコンピュータプログラムを含む無線通信システムの伝送機器において、
前記コンピュータプログラムが前記プロセッサによって実行されると、請求項１〜１４のいずれか一項に記載の無線通信システムの情報伝送方法のステップが実現される、無線通信システムの伝送機器。